(57)【要約】【課題】伸縮筒が不用意に伸びてしまったり、縮んだりすることなく安定した状態で使用することができる鞄用伸縮ハンドルを提供する。【解決手段】外筒１ａに内筒１ｂをスライド自在に挿入した伸縮筒１の上端にグリップ２を設けると共に、この伸縮筒１の下端を鞄Ｂに取り付け、伸縮筒１には、内筒１ｂを任意のスライド位置で外筒１ａに係脱自在に係止させる係止機構Ｃを組み込み、グリップ２には、押圧体１０、ロックスライダー１１および操作体１２からなる操作機構Ｏを組み込んだものとしており、押圧体１０はグリップ２内で上下動自在としており、押圧部１０ｃを、係止機構Ｃを作動させる作動杆４１に連繋させており、ロックスライダー１１は、グリップ２に突設した当たり９に対向して合致したり、位置ずれするかまたは合致しなくなるようにした当たり２０を突設しており、操作体１２は、ロックスライダー１１を押圧体１０にスライド自在に取り付けた。【選択図】図２
2017209273.tif 000002
【特許請求の範囲】
【請求項１】
外筒（１ａ）に内筒（１ｂ）をスライド自在に挿入した伸縮筒（１）の上端にグリップ（２）を設けると共に、この伸縮筒（１）の下端を鞄（Ｂ）に取り付け、
前記伸縮筒（１）には、内筒（１ｂ）を任意のスライド位置で外筒（１ａ）に係脱自在に係止させる係止機構（Ｃ）を組み込み、
前記グリップ（２）には、押圧体（１０）、ロックスライダー（１１）および操作体（１２）からなる操作機構（Ｏ）を組み込んだものとしており、
前記押圧体（１０）はグリップ（２）内で上下動自在としており、押圧部（１０ｃ）を、前記係止機構（Ｃ）を作動させる作動杆（４１）に連繋させており、
前記ロックスライダー（１１）は、前記グリップ（２）に突設した当たり（９）に対向して合致したり、位置ずれするかまたは合致しなくなるようにした当たり（２０）を突設しており、
前記操作体（１２）は、前記ロックスライダー（１１）を前記押圧体（１０）にスライド自在に取り付けたことを特徴とする鞄用伸縮ハンドル。
【請求項２】
前記グリップ（２）を二本の伸縮筒（１）の上端間に跨設すると共に、これら伸縮筒（１）が出没自在となるようにして、これら伸縮筒（１）の下端を鞄（Ｂ）に取り付けていることを特徴とする請求項１記載の鞄用伸縮ハンドル。
【請求項３】
前記グリップ（２）は、上カバー（２ａ）と下カバー（２ｂ）からなり、上カバー（２ａ）には上方開口（８ａ）を設け、下カバー（２ｂ）には下方開口（８ｂ）を設けると共に、下カバー（２ｂ）には上方に向けて前記当たり（９）を突設していることを特徴とする請求項１または２記載の鞄用伸縮ハンドル。
【請求項４】
前記押圧体（１０）は、中央上部に設けた押圧部（１０ａ）を前記グリップ（２）の上方開口（８ａ）に挿通し、前記グリップ（２）との間に圧縮バネ（１６）を介在させて、グリップ（２）内で上下動自在としていることを特徴とする請求項１〜３の何れかに記載の鞄用伸縮ハンドル。
【請求項５】
前記ロックスライダー（１１）は、上方に向けて突設した案内片（１７）のスライド溝（１７ａ）に、前記押圧体（１０）の内部空間に形成した支持片（１３）を挿入させて、この押圧体（１０）にスライド自在にすると共に、一端に突設した係止片（１９）の係爪（１９ａ）を、前記押圧体（１０）の支持片（１３）の係止部（１３ｂ）に係脱自在にしていることを特徴とする請求項１〜４の何れかに記載の鞄用伸縮ハンドル。
【請求項６】
前記操作体（１２）は、操作部（１２ａ）の下方に連結部（１２ｂ）を突設したものとし、操作部（１２ａ）を前記押圧体（１０）の押圧部（１０ａ）の上面に形成した案内溝（１５）にスライド操作自在に入り込ませ、連結部（１２ｂ）を前記押圧体（１０）の案内溝（１５）の略中央に有した貫通孔（１４）に貫通させて、前記ロックスライダー（１１）とこの連結部（１２ｂ）をビス止めすることにより、前記ロックスライダー（１１）を押圧体（１０）にスライド自在に取り付けていることを特徴とする請求項１〜５の何れかに記載の鞄用伸縮ハンドル。
【請求項７】
前記係止機構（Ｃ）は、伸縮筒（１）の内筒（１ｂ）の下端に固着されており、本体（３１）から上方向に圧縮バネ（３２）によって押し上げられている作動体（３３）が、前記作動杆（４１）の上下動によって押し下げられたり、元の位置に戻されることにより、本体（３１）の側方から突起（３４）が出没自在となるようにしていることを特徴とする請求項１〜６の何れかに記載の鞄用伸縮ハンドル。
【発明の詳細な説明】
【技術分野】
【０００１】
この発明は、旅行用キャリーバッグなどの鞄用伸縮ハンドルに関するものである。
【背景技術】
【０００２】
従来のこの種の鞄用伸縮ハンドルは、ハンドルのグリップに設けた操作体を操作して、グリップ内の押圧体を作動させ、この押圧体の作動により、伸縮筒内の作動杆が上下動するようにしている。
【０００３】
そして、従来の鞄用伸縮ハンドルは、前記作動杆が上下動することにより、伸縮筒内に収納した係止機構の係止ピンが出没し、この係止ピンにより伸縮筒を伸ばしたり縮めたりした適当な位置で係止しておけるようにしている。
【先行技術文献】
【特許文献】
【０００４】
【特許文献１】特許第３９１９８８８号公報
【特許文献２】登録実用新案第３０３７０５８号公報
【特許文献３】登録実用新案第３０４４６０７号公報
【発明の概要】
【発明が解決しようとする課題】
【０００５】
上記従来の鞄用伸縮ハンドルは、ハンドルのグリップに設けた操作体にロック状態にしておく機構が取り付けられていないので、ハンドルのグリップを握ったはずみなどに、この操作体を不用意に操作してしまうことがある。
【０００６】
ところが、従来の鞄用伸縮ハンドルでは、前記操作体を不用意に操作してしまうと、係止機構の係止ピンが突き出ていた状態から引っ込んだ状態となって、伸縮筒の係止が解除されて、伸縮筒が不用意に伸びてしまったり、縮んだりして不安定な状態となる。
【０００７】
そこで、この発明は、上記従来の課題を解決するためになされたものであり、ハンドルのグリップに設けた操作体にロック状態にしておける機構を取り付けることにより、ハンドルのグリップを握ったはずみなどに、操作ボタンを不用意に操作できないようにして、伸縮筒が不用意に伸びてしまったり、縮んだりすることなく安定した状態で使用することができる鞄用伸縮ハンドルを提供することを目的とする。
【課題を解決するための手段】
【０００８】
そのため、この発明の鞄用伸縮ハンドルは、外筒１ａに内筒１ｂをスライド自在に挿入した伸縮筒１の上端にグリップ２を設けると共に、この伸縮筒１の下端を鞄Ｂに取り付け、前記伸縮筒１には、内筒１ｂを任意のスライド位置で外筒１ａに係脱自在に係止させる係止機構Ｃを組み込み、前記グリップ２には、押圧体１０、ロックスライダー１１および操作体１２からなる操作機構Ｏを組み込んだものとしており、前記押圧体１０はグリップ２内で上下動自在としており、押圧部１０ｃを、前記係止機構Ｃを作動させる作動杆４１に連繋させており、前記ロックスライダー１１は、前記グリップ２に突設した当たり９に対向して合致したり、位置ずれするかまたは合致しなくなるようにした当たり２０を突設しており、前記操作体１２は、前記ロックスライダー１１を前記押圧体１０にスライド自在に取り付けたものとしている。
【０００９】
そして、この発明の鞄用伸縮ハンドルにおいて、前記グリップ２を二本の伸縮筒１の上端間に跨設すると共に、これら伸縮筒１が出没自在となるようにして、これら伸縮筒１の下端を鞄Ｂに取り付けている。
【００１０】
さらに、この発明の鞄用伸縮ハンドルにおいて、前記グリップ２は、上カバー２ａと下カバー２ｂからなり、上カバー２ａには上方開口８ａを設け、下カバー２ｂには下方開口８ｂを設けると共に、下カバー２ｂには上方に向けて前記当たり９を突設している。
【００１１】
また、この発明の鞄用伸縮ハンドルにおいて、前記押圧体１０は、中央上部に設けた押圧部１０ａを前記グリップ２の上方開口８ａに挿通し、前記グリップ２との間に圧縮バネ１６を介在させて、グリップ２内で上下動自在としている。
【００１２】
さらに、この発明の鞄用伸縮ハンドルにおいて、前記ロックスライダー１１は、上方に向けて突設した案内片１７のスライド溝１７ａに、前記押圧体１０の内部空間に形成した支持片１３を挿入させて、この押圧体１０にスライド自在にすると共に、一端に突設した係止片１９の係爪１９ａを、前記押圧体１０の支持片１３の係止部１３ｂに係脱自在にしている。
【００１３】
また、この発明の鞄用伸縮ハンドルにおいて、前記操作体１２は、操作部１２ａの下方に連結部１２ｂを突設したものとし、操作部１２ａを前記押圧体１０の押圧部１０ａの上面に形成した案内溝１５にスライド操作自在に入り込ませ、連結部１２ｂを前記押圧体１０の案内溝１５の略中央に有した貫通孔１４に貫通させて、前記ロックスライダー１１とこの連結部１２ｂをビス止めすることにより、前記ロックスライダー１１を押圧体１０にスライド自在に取り付けている。
【００１４】
さらに、この発明の鞄用伸縮ハンドルにおいて、前記係止機構Ｃは、伸縮筒１の内筒１ｂの下端に固着されており、本体３１から上方向に圧縮バネ３２によって押し上げられている作動体３３が、前記作動杆４１の上下動によって押し下げられたり、元の位置に戻されることにより、本体３１の側方から突起３４が出没自在となるようにしている。
【発明の効果】
【００１５】
この発明の鞄用伸縮ハンドルは、以上に述べたような構成としているので、ハンドルのグリップを握ったはずみなどに、操作機構をロック状態にしておけば、不用意に操作機構が作動してしまうようなことはなく、伸縮筒が不用意に伸びてしまったり、縮んだりすることなく安定した状態で使用することができるものとなる。
【図面の簡単な説明】
【００１６】
【図１】この発明の鞄用伸縮ハンドルを備えたキャリーバッグの斜視図である。
【図２】この発明の鞄用伸縮ハンドルの操作機構のロック状態を示す断面図である。
【図３】この発明の鞄用伸縮ハンドルの操作体、グリップ（上カバー、下カバー）、押圧体、スライダーを斜め上方から見た分解斜視図である
【図４】図３中のグリップの上カバーおよび下カバーを斜め下方からみた斜視図である。
【図５】図３中の押圧体を斜め下方からみた斜視図である。
【図６】この発明の鞄用伸縮ハンドルの伸縮筒内に組み込まれる作動杆および係止機構の斜視図である。
【図７】この発明の鞄用伸縮ハンドルの操作機構のアンロック状態を示す断面図である。
【図８】図７のアンロック状態において、操作機構の押圧体を押し込んだ状態を示すこの発明の鞄用伸縮ハンドルの断面図である。
【発明を実施するための形態】
【００１７】
以下、この発明の鞄用伸縮ハンドルを実施するための形態を、図面に基づいて詳細に説明する。
【００１８】
この発明の鞄用伸縮ハンドルは、図１に示したように、二本の伸縮筒１の上端間にグリップ２を跨設すると共に、これら伸縮筒１の下端を、キャスター付きスーツケース等の鞄Ｂに、これら伸縮筒１が出没自在となるようにして取り付けている。なお、前記グリップ２は、図示したものでは、二本の伸縮筒１の上端間に跨設したものとしているが、一本の伸縮筒１の上端に設けたものとしてもよい。
【００１９】
前記伸縮筒１は、図２に示したように、外筒１ａに内筒１ｂをスライド自在に挿入し、内筒１ｂを任意のスライド位置で外筒１ａに係脱自在に係止させる係止機構Ｃを組み込んでいる。
【００２０】
前記グリップ２は、図２〜４に示したように、上カバー２ａと下カバー２ｂからなり、上カバー２ａの上面中間部から垂設した左右一対の筒状とした連結部３ａに、下カバー２ｂの下面中間部に穿設した左右一対のビス孔４ａからビス５をねじ込むと共に、上カバー２ａの上面両端部から垂設した左右一対の筒状とした連結部３ｂに、下カバー２ｂの両端上部に形成したフランジ６に穿設した左右一対のビス孔４ｂからビス７をねじ込む等して、上カバー２ａと下カバー２ｂを固定している。
【００２１】
さらに、前記グリップ２の上カバー２ａの中央には上方開口８ａを設け、下カバー２ｂの両端には下方開口８ｂを設けると共に、下カバー２ｂの下面中央寄りには上方に向けて当たり９を突設している。そして、前記グリップ２には、押圧体１０、ロックスライダー１１および操作体１２からなる操作機構Ｏを組み込んでいる。
【００２２】
前記押圧体１０は、図５に示したように、略中央に分断部１３ａを形成し、一端に係止部１３ｂを有した支持片１３を内部空間に形成し、略中央に貫通孔１４を有した案内溝１５を上面に形成した押圧部１０ａを中央上部に設け、一対の挿通孔１０ｂを中間部に設け、一対の押圧部１０ｃを両端に設けている。そして、この押圧体１０は、押圧部１０ａを前記グリップ２の上方開口８ａに挿通し、挿通孔１０ｂに、前記グリップ２の連結部３ａに圧縮バネ１６を介在させて、この連結部３ａを挿通することにより、グリップ２内で上下動自在としており、さらに押圧部１０ｃを、係止機構Ｃを作動させる作動杆４１に連動体４２を介して連繋させている。
【００２３】
前記ロックスライダー１１は、スライド溝１７ａを形成した案内片１７を上方に向けて両端に突設し、ビス孔１８を中央に設け、係爪１９ａを有した係止片１９を一端に突設すると共に、前記グリップ２の下カバー２ｂに突設した当たり９に対向して合致したり、位置ずれするかまたは合致しなくなるようにした当たり２０を下方に向けて両端に突設している。そして、このロックスライダー１１は、案内片１７のスライド溝１７ａに前記押圧体１０の支持片１３を挿入させて、この押圧体１０にスライド自在にすると共に、係止片１９の係爪１９ａを前記押圧体１０の支持片１３の係止部１３ｂに係脱自在にしている。なお、前記当たり９と当たり２０との接触面が、図示したように水平面である場合は、両者が合致したり、合致しなくなるようにしているが、前記当たり９と当たり２０との接触面が、段差面や傾斜面である場合は、両者が合致したり、位置ずれするようにしている。
【００２４】
前記操作体１２は、操作部１２ａの下方に筒状とした連結部１２ｂを突設している。そして、この操作体１２は、操作部１２ａを前記押圧体１０の案内溝１５にスライド操作自在に入り込ませ、連結部１２ｂを前記押圧体１０の貫通孔１４に貫通させて、前記ロックスライダー１１のビス孔１８に位置合せをして、このビス孔１８から前記連結部１２ｂにビス２１をねじ込む等して、ロックスライダー１１を押圧体１０にスライド自在に取り付けている。
【００２５】
前記係止機構Ｃは、伸縮筒１の内筒１ｂの下端に固着されており、本体３１から上方向に圧縮バネ３２によって押し上げられている作動体３３が、前記作動杆４１の上下動によって、この作動杆４１の下端に連結した連結体４３により押し下げられたり、元の位置に戻されることにより、本体３１の側方から突起３４が出没自在となるようにしている。
【００２６】
なお、前記伸縮筒１の外筒１ａの壁面には、複数個の係止孔などの係止部４４が軸方向に所定間隔をおいて設けられており、内筒１ｂをスライドさせることにより前記係止機構Ｃの突起３４が、外筒１ａの係止部４４に合致したときに、その位置で内筒１ｂが外筒１ａに係止されるようにしている。
【００２７】
以上のように構成したこの発明の鞄用伸縮ハンドルは、図２に示した状態では、グリップ２の下カバー２ｂに突設した当たり９と、操作機構Ｏのロックスライダー１１に突設した当たり２０とが対向して合致しているため、使用者が不用意に押圧体１０を押えても、この押圧体１０は下がることがなく、操作機構Ｏはロック状態となっている。
【００２８】
したがって、前記押圧体１０によって作動杆４１が作動することなく、係止機構Ｃの突起３４も入り込むことがなく、この突起３４が外筒１ａの係止部４４から外れてしまうようなことはなく、伸縮筒１が勝手に伸縮してしまうことはない。
【００２９】
次に、この発明の鞄用伸縮ハンドルにおいて、使用者が伸縮筒１を伸縮させようとする場合には、図７に示したように、操作機構Ｏの操作体１２を指などで操作することによりロックスライダー１１をスライドさせて、グリップ２の下カバー２ｂに突設した当たり９と、このロックスライダー１１に突設した当たり２０とが合致しないようにして、操作機構Ｏをアンロック状態にする。前記当たり９と当たり２０との接触面が、図示したように水平面である場合は、このように両者が合致しなくなるようにして、操作機構Ｏをアンロック状態にしているが、前記当たり９と当たり２０との接触面が、段差面や傾斜面である場合は、両者が位置ずれするようにして、操作機構Ｏをアンロック状態にしている。
【００３０】
なお、前記操作機構Ｏの操作体１２を操作する場合、図２に示した状態では、押圧体１０の支持片１３の係止部１３ｂにロックスライダー１１の係止片１９の係止爪１９ａが当接しており、図７に示した状態では前記係止部１３ｂに前記係止爪１９ａが係止されるので、この操作体１２は自由にスライドしてしまうことはなく、操作体１２を不用意に操作してしまうようなことはない。
【００３１】
そこで、前記操作機構Ｏの押圧体１０を使用者が押えると、図８に示したように、圧縮バネ１６が収縮して押圧体１０が押し下げられ、この押圧体１０の両端の押圧部１０ｃによって作動杆４１が押し下げられ、係止機構Ｃの突起３４が入り込んで、この突起３４が外筒１ａの係止部４３から外れるので、伸縮筒１を任意の長さに伸縮させることができる。
【００３２】
そして、使用者が前記押圧体１１を押える力を抜くと、グリップ２の連結部３ａに介在させた圧縮バネ１６の反発力で押圧体１０が、図２に示した元の状態に戻されると同時に、作動杆４１も係止機構Ｃの圧縮バネ３２の反発力によって図２に示した元の状態に戻される。
【００３３】
すると、係止機構Ｃの突起３４が再び突出して、伸縮筒１を任意の長さに伸縮させた位置の外筒１ａの係止部４４に係止され、その位置から伸縮筒１が伸縮しない状態となる。
【００３４】
最後に、前記操作体１２を指などで元の位置にスライドさせて、図２に示したように、グリップ２の下カバー２ｂに突設した当たり９と、操作機構Ｏのロックスライダー１１に突設した当たり２０とが合致するようにすると、操作機構Ｏは再びロック状態となり、使用者が不用意に押圧体１０を押えても、この押圧体１０は下がることがないものとなる。
【００３５】
この発明の鞄用伸縮ハンドルは、以上に述べたように構成されているので、ハンドルのグリップを握ったはずみなどに、操作機構Ｏをロック状態にしておけば、不用意に操作機構Ｏが作動してしまうようなことはなく、伸縮筒１が不用意に伸びてしまったり、縮んだりすることなく安定した状態で使用することができるものとなる。
【符号の説明】
【００３６】
１  伸縮筒
１ａ  外筒
１ｂ  内筒
２  グリップ
２ａ  上カバー
２ｂ  下カバー
８ａ  上方開口
８ｂ  下方開口
９  当たり
１０  押圧体
１０ａ  押圧部
１０ｃ  押圧部
１１  ロックスライダー
１２  操作体
１２ａ  操作部
１２ｂ  連結部
１３  支持片
１３ｂ  係止部
１４  貫通孔
１５  案内溝
１６  圧縮バネ
１７  案内片
１７ａ  スライド溝
１９  係止片
１９ａ  係爪
２０  当たり
３１  本体
３２  圧縮バネ
３３  作動体
３４  突起
４１  作動杆
Ｂ  鞄
Ｃ  係止機構
Ｏ  操作機構
【図１】
2017209273.tif 000003
【図２】
2017209273.tif 000004
【図３】
2017209273.tif 000005
【図４】
2017209273.tif 000006
【図５】
2017209273.tif 000007
【図６】
2017209273.tif 000008
【図７】
2017209273.tif 000009
【図８】
2017209273.tif 000010